(57)【要約】【課題】刃物等を使用した犯罪に対して、防御と制圧とを同時にできて、耐久性の高い防犯器具を提供する。【解決手段】３本のアルミ製ポールの後端にステンレス製ネジを固定し、一方、ステンレス製ポール取付部材の前面に、正面視１２０°の間隔をあけて、側面視、前方方向に約４５°の角度の３個のネジ穴を形成し、この３個のネジ穴に前記３本のアルミ製ポールのステンレス製ネジを着脱可能に係合して三股先端部とする。この三股先端部を任意の警杖の先端に固定して取付けて着脱可能な三股警杖とする。使用する警杖としては、金属製の２段伸縮式警杖が好適である。【選択図】図１
2007205684.tif 000002
【特許請求の範囲】
【請求項１】
３本のアルミ製ポールの後端にステンレス製ネジを固定し、一方、ステンレス製ポール取付部材の前面に、正面視１２０°の間隔をあけて、側面視、前方方向に約４５°の角度の３個のネジ穴を形成し、この３個のネジ穴に前記３本のアルミ製ポールのステンレス製ネジを着脱可能に係合した三股先端部を任意の警杖の先端に固定して取付けることを特徴とする着脱可能な三股警杖。
【請求項２】
３本のアルミ製ポールの後端にステンレス製ネジを固定し、一方、ステンレス製ポール取付部材の前面に、正面視１２０°の間隔をあけて、側面視、前方方向に約４５°の角度の３個のネジ穴を形成し、この３個のネジ穴に前記３本のアルミ製ポールのステンレス製ネジを着脱可能に係合した三股先端部を中間ポールに固定して取付け、
次いで、中間ポールを主ポールに伸長状態および伸縮状態に係合できるように取付け、
さらに、主ポールの後端には後端保護キャップを被せたことを特徴とする着脱可能な三股警杖。
【発明の詳細な説明】
【技術分野】
【０００１】
本発明は、警杖の先端に三股先端部を固定して取付けた三股警杖を改良したものであり、三股の３本のポールを着脱可能にした三股警杖に関するものである。
【背景技術】
【０００２】
従来の警棒は、棒状の警棒のみならず、径の異なる複数本の筒体を入れ子式に組合せて伸縮可能とした伸縮式警棒が良く知られている。このものは、入れ子式の警棒本体を押し込めば全長を縮めることができるから、例えば腰に吊り下げても邪魔にならず、携帯性が非常に良い。
【０００３】
しかし、伸長しても棒状であるから、手で握って使用する際に、手や手首を相手の武器から保護することはできない。
そのために、鍔や各種のアタッチメントを警棒本体のグリップ部に取付ける特殊警棒が提案されている。しかしながら、刃物を持った凶悪犯を制圧するには非常に危険である。
【特許文献１】特開平０８−０４２９９６号公報
【特許文献２】特開平０５−０７９７９４号公報
【特許文献３】特開平０５−０９９５９５号公報
【特許文献４】特開平０５−２８０８９７号公報
【特許文献５】特開平０６−００７４６２号公報
【０００４】
また、江戸時代から、犯人逮捕のために使用する刺す股がある。従来の刺す股は、柄がながく、刺す股を持った者が数人がかりで犯人に対処しなければ効果が期待できない。
そして、刺す股は、人間の中心部あたりに押しつけて使用する為に、犯人の凶器を持っている両手に対しては効果が無く、特に長物の凶器の場合、反対に攻撃される恐れがあるのが最大の欠点である。
さらに、警棒と刺す股とを組み合わせることも提案されている。この従来例は、刺す股の柄を短くしたパイプ状柄の中に警棒を収納したものである。使用時には、刺す股のパイプ状柄の中から警棒を取り出し、片手に刺す股、他方の手には警棒を握って使用するものであって、使い勝手が良いものとはいえない。
【特許文献６】特開２００５−１４０４８６号公報
【０００５】
一方、本出願人は、前記従来例を改良するものとして、鉄棒の先端部の位置に、３本の鉄製パイプを、正面視１２０°の間隔をあけて、側面視、前方方向に約４５°の角度で、均等に溶接することにより鉄製の三つ股先端部を形成し、次いで、３本の鉄製パイプの先端には各々先端保護キャップを被せ、この三股先端部を警杖の先端に固定して取付けたことを特徴とする三股警杖を特許出願した。
しかし、従来例の欠点は改善されたが、伸縮時でも１００ｃｍを超す長さなので、携帯するには、少し大きくて不便であった。
また、先端のポールが鉄製であったために、内側から錆が発生する恐れが有った。
【特許文献７】特願２００５−３０６８５８号
【発明の開示】
【発明が解決しようとする課題】
【０００６】
解決しようとする問題点は、前記特許出願に係る三股警杖の欠点を改善し、刃物等を使用した犯罪に対して、前記の三股警杖よりもはるかに耐久性が高く、使い易い上に、安全に使用できる防犯器具を提供することである。
【課題を解決するための手段】
【０００７】
本発明は、３本のアルミ製ポールの後端にステンレス製ネジを固定し、一方、ステンレス製ポール取付部材の前面に形成した３個のネジ穴に、前記３本のポールのネジを着脱可能に係合した三股先端部を警杖の先端に取付けて三股警杖としたことを最も主要な特徴とする。
警杖は、木製または金属製の任意の警杖でよく、特に金属製の伸縮式警杖が最適である。
【発明の効果】
【０００８】
本発明の着脱可能な三股警杖は、三股がアルミ製であるために軽く、また、結合部がステンレス製であるために強度が高く、両者相まって錆に対して耐久性が高いものであって、刃物等を使用した犯罪に対して有効に対処でき、防御と制圧とを同時にできるという利点がある。
【発明を実施するための最良の形態】
【０００９】
警杖の先端に取付ける着脱可能三股先端部は、３本のアルミ製ポールの後端にステンレス製ネジを固定し、一方、ステンレス製ポール取付部材の前面に、正面視１２０°の間隔をあけて、側面視、前方方向に約４５°の角度の３個のネジ穴を形成し、この３個のネジ穴に前記３本のアルミ製ポールのステンレス製ネジを着脱可能に係合して三股先端部とするものである。この着脱可能な三股先端部を任意の警杖の先端に固定して取付けることにより、着脱可能な三股警杖を実現した。
使用する警杖としては、金属製の２段伸縮式警杖が好適である。
【実施例】
【００１０】
実施例は、警杖として金属製の２段伸縮式警杖を使用し、その先端に着脱可能な三股先端部を取付ける例である。
本発明の実施例に係る着脱可能な三股警杖は、三股先端部１、中間ポール部２、および主ポール部３からなる。
図１は、本発明に係る着脱可能な三股警杖の外観を示す側面図であって、Ａは伸長時の状態を示し、Ｂは伸縮時の状態を示すものである。
【００１１】
三股先端部１は、３本のアルミ製パイプ４、ステンレス製ポール取付部材５、および三股先端部１を中間ポール部２へ固定するためのピン６からなる。
アルミ製パイプ４は、全長４６．０ｃｍ、直径１．５ｃｍ、内径１．２ｃｍ、厚さ０．３ｃｍである。その先端は閉じて形成しており、後端にはステンレス製ネジ７を金属用接着剤で固定する。
アルミ製パイプ４の側面図を図２に、アルミ製パイプ４後端の断面図を図３に示す。
【００１２】
ポール取付部材５は、頭部８と脚部９とからなり、頭部８は長さ３．０ｃｍ、直径３．４ｃｍの円柱状であり、脚部９は長さ４．０ｃｍ、外径２．８ｃｍ、内径２．３ｃｍ、厚さ０．５ｃｍのパイプ状であって、全長７．０ｃｍのステンレス製一体成型物である。
頭部８の前端正面には、正面視１２０°の間隔をあけて、側面視、前方方向に約４５°の角度の３個のネジ穴１０を形成する。
また、脚部９には、後端から０．５ｃｍの位置において、中心に直径０．１ｃｍの貫通孔ａを設け、ピン６を通すための穴とする。
ステンレス製ポール取付部材５の頭部８の前端の正面図を図４に、ステンレス製ポール取付部材５の断面図を図５に示す。
【００１３】
中間ポール部２は、中間ポール１１、および、中間ポール１１を主ポール部３に係合する固定具１２とからなる。
中間ポール１１は、全長７３．０ｃｍ、外径３．１ｃｍ、内径２．８ｃｍ、厚さ０．３ｃｍのアルミ製パイプである。
固定具１２は、アルミ製ハウジング１３、係止具１４、およびバネ１５からなる。
なお、固定具１２は、伸長時用と伸縮時用との２個を使用する。
一方、中間ポール１１の先端から３．５ｃｍの位置において、中心に直径０．１ｃｍの孔ｂを上下２箇所に設け、ピン６を通すための穴とする。
この孔ｂは三股先端部１を固定するためのものである。
また、中間ポール１１の先端から９．５ｃｍの位置において、中心に直径０．８ｃｍの孔ｃを設け、固定具１２の係止具１４を通すための穴ｃとする。この孔ｃは伸縮時に使用する。
さらに、中間ポール１１の後端から１．０ｃｍの位置において、中心に直径０．８ｃｍの孔ｄを設け、第２の固定具１２の係止具１４を通すための穴ｄとする。
この孔ｄは伸長時に使用する。
なお、中間ポール１１の後端は、直径約３．２ｃｍ弱の経大部に加工しておく。
【００１４】
アルミ製ハウジング１３は、長手方向と直交する方向の中心に、係止具１４およびバネ１５を収容する直径０．９ｃｍの貫通孔ｅを設ける。
係止具１４は、全長２．０ｃｍ、直径０．８ｃｍのアルミ製棒であり、バネ１５を係止するために、下部から０．８ｃｍの位置から上に向かって、厚さ０．１ｃｍ、直径０．９ｃｍのフランジ部を設ける。
バネ１５は、幅０．９ｃｍで、伸長時約２ｃｍ、伸縮時約１ｃｍとなる直径０．１ｃｍのスプリングである。
【００１５】
先ず、アルミ製ハウジング１３の貫通孔ｅに、係止具１４およびバネ１５をセットし、この２個の固定具１２を中間ポール１１の孔ｃおよび孔ｄの２箇所に係合させる。
中間ポール９と固定具１２との係合を示す正面断面図Ｃ、および長手方向断面図Ｄを図６に示す。
【００１６】
主ポール部３は、主ポール１６、グリップ１７、中間ポール１１が抜け落ちるのを防止するためのストッパー１８、および後端保護キャップ１９からなる。
主ポール１６は、全長７３．０ｃｍ、直径３．５ｃｍ、内径３．２ｃｍ、厚さ０．３ｃｍのアルミ製である。
主ポール１６の先端から９ｃｍの位置において、中心に直径０．９ｃｍの孔ｆを設け、中間ポール１１に取付けた固定具１２の係止具１４を通すための穴とする。
この孔ｆは、中間ポール１１の伸長時および伸縮時に使用する。
また、主ポール１６の後端から１．０ｃｍの位置において、中心に直径０．２ｃｍの孔ｇを上下２箇所に設け、ストッパー１８を通すための穴とする。
この孔ｇは、中間ポール１１が主ポール１６の後端から抜け出さないように、ストッパー１８を固定するためのものである。
グリップ１７は、主ポール１６の先端から２．５ｃｍの位置から後方に５．８ｃｍの長さに亘って全周に設ける。また、後端から２．５ｃｍ位置から前方に５．８ｃｍの長さに亘って全周に設ける。
前記２箇所のグリップ１７は、切削加工により形成する。
なお、主ポール１６の先端から３．０ｃｍ程度を絞り加工により、内径約３．１ｃｍ弱の経細部に形成しておく。
ストッパー１８は、全長３．５ｃｍ、直径０．２ｃｍのアルミ製のピンである。
後端保護キャップ１９は、主ポール１４の最後端部に取付けるゴム製部材である。
【００１７】
本実施例における着脱可能な三股警杖の組立は、以下のとおりである。
（１）中間ポール部２の孔ｃおよび孔ｄに２個の固定具１２を取付ける。
（２）中間ポール部２に取付けた２個の固定具１２の係止具１４を押し込みながら、主ポール１６の後端から差し込む。
（３）次いで、三股先端部１のステンレス製ポール取付部材５の脚部９を中間ポール１１の先端に４ｃｍ差し込み、ステンレス製ポール取付部材５の貫通孔ａと中間ポール１１の上下２箇所の孔ｂとを合わせ、ピン６を上下に通してから、カシメて固定する。
三股先端部１と中間ポール１１との固定状態の断面図を図７に示す。
（４）主ポール１６の上下２箇所の孔ｇにストッパー１８を通し、カシメて固定する。
（５）次いで、主ポール１６の後端に後端保護キャップ１９を被せる。
主ポール１６の後端部の断面図を図８に示す。
（６）最後に、３本のアルミ製パイプ４のステンレス製ネジ７を、ステンレス製ポール取付部材５の頭部８の３個のネジ穴１０に係合して、着脱可能な三股警杖とする。
【００１８】
以上のようにして組立た着脱可能な三股警杖は、中間ポール１１の孔ｃにある固定具１２の係止具１４を主ポール１６の孔ｆに係合させると伸縮状態になる。
また、中間ポール１１の孔ｄにある第２の固定具１２の係止具１４を主ポール１６の孔ｆに係合させると伸長状態になる。
【００１９】
前記実施例においては、２段伸縮式警杖の先端に着脱可能な三股先端部１を取付ける例を示したが、警杖は着脱可能な三股先端部１が取付けられる警杖であれば、どのようなものでも良いことは明らかである。
また、取付け方法も実施例に限られるものではなく、公知の取付け方法が使用できることも明らかである。
【産業上の利用可能性】
【００２０】
本発明に係る着脱可能な三股警杖は、凶悪化する犯罪が増加するの中で、防御と制圧とを同時にできる防犯器具が無いに等しい現状で、尊い人命を守るべき用途に提供することができる。
また、それのみならず、最近増えてきているクマ・イノシシ・サル等の危害からも、人の身体を守ることができる。
【図面の簡単な説明】
【００２１】
【図１】本発明の三股警杖における伸長時の外観側面図Ａ、および伸縮時の外観側面図Ｂである。
【図２】アルミ製パイプ４の側面図である。
【図３】アルミ製パイプ４後端の断面図である。
【図４】ステンレス製ポール取付部材５の頭部８前端の正面図である。
【図５】ステンレス製ポール取付部材５の断面図である。
【図６】中間ポール１１と固定具１２との係合を示す正面断面図Ｃ、および長手方向断面図Ｄを図５に示す。
【図７】着脱可能な三股先端部１と中間ポール１１の固定状態を示す断面図である。
【図８】主ポール１６に後端保護キャップ１９を被せた状態を示す断面図である。
【符号の説明】
【００２２】
１    三股先端部
２    中間ポール部
３    主ポール部
４    アルミ製パイプ
５    ステンレス製ポール取付部材
６    ピン
７    ステンレス製ネジ
８    ステンレス製ポール取付部材５の頭部
９    ステンレス製ポール取付部材５の脚部
１０    ネジ穴
１１    中間ポール
１２    固定具
１３    アルミ製ハウジング
１４    係止具
１５    バネ
１６    主ポール
１７    グリップ
１８    ストッパー
１９    後端保護キャップ
ａ    ステンレス製ポール取付部材５の脚部９の貫通孔
ｂ    三つ股先端部１を固定するために使用する中間ポール１１の孔
ｃ    伸縮時用の係止具１４を通すために使用する中間ポール１１の孔
ｄ    伸長時用の係止具１４を通すために使用する中間ポール１１の孔
ｅ    アルミ製ハウジングの貫通孔
ｆ    中間ポール１１の伸長時および伸縮時に使用する主ポール１６の孔
ｇ    ストッパー１８を固定するために使用する主ポール１６の孔
【図１】
2007205684.tif 000003
【図２】
2007205684.tif 000004
【図３】
2007205684.tif 000005
【図４】
2007205684.tif 000006
【図５】
2007205684.tif 000007
【図６】
2007205684.tif 000008
【図７】
2007205684.tif 000009
【図８】
2007205684.tif 000010
【手続補正書】
【提出日】平成18年7月13日(2006.7.13)
【手続補正１】
【補正対象書類名】明細書
【補正対象項目名】０００３
【補正方法】変更
【補正の内容】
【０００３】
しかし、伸長しても棒状であるから、手で握って使用する際に、手や手首を相手の武器
から保護することはできない。
そのために、鍔や各種のアタッチメントを警棒本体のグリップ部に取付ける特殊警棒が
提案されている。しかしながら、刃物を持った凶悪犯を制圧するには非常に危険である。
【特許文献１】特開平０８−０４２９９６号公報
【特許文献２】特開平０５−０７９７９４号公報
【特許文献３】特開平０５−０９９５９５号公報
【特許文献４】特開平０５−２８０８９７号公報
【特許文献５】特開平０６−０７４６９２号公報